(57)【要約】【課題】本考案は、二重構造の利点は維持しつつ、供給された水を有効に活用する工夫がなされたハイドロカルチャー用容器を提供する。【解決手段】上方に拡がったテーパ筒状の側壁部２１と底部２２とを備え、内部にハイドロボールＨｂが収容される内鉢２と、内鉢２の側壁部２１を覆うネット３と、上方に拡がったテーパ筒状の側壁部４１と底側を閉塞する底部４２とを備え、内鉢２が内側に重ねられる外鉢４と、を有し、内鉢２の側壁部２１と外鉢４の側壁部４１は、テーパ角度が等しいものであり、内鉢２が外鉢４に重ねられると、ネット３の外面と、外鉢４の側壁部４１の内面とが接するものであり、内鉢２は、側壁部２１に流入孔２ａが形成され、外鉢４に水を入れた状態で内鉢２を外鉢４に重ねると、流入孔２ａから内鉢２内に水が流入するものである。【選択図】図１
0003228457.tif 000002
【実用新案登録請求の範囲】
【請求項１】
上方に拡がったテーパ筒状の側壁部と底側を閉塞する底部とを備え、内部に人工培土が収容される内鉢と、
上方に拡がったテーパ筒状の側壁部と底側を閉塞する底部とを備え、前記内鉢が内側に重ねられる外鉢と、を有し、
前記内鉢の側壁部と前記外鉢の側壁部は、テーパ角度が等しいものであり、該内鉢が該外鉢に重ねられると、該内鉢の側壁部の外面と、該外鉢の側壁部の内面とが接するものであり、
前記内鉢は、前記側壁部と前記底部の少なくとも一方に流入孔が形成され、前記外鉢に水を入れた状態で該内鉢を該外鉢に重ねると、該流入孔から該内鉢内に水が流入するものであることを特徴とするハイドロカルチャー用容器。
【請求項２】
上方に拡がったテーパ筒状の側壁部と底側を閉塞する底部とを備え、内部に人工培土が収容される内鉢と、
前記内鉢の側壁部を覆う、ネット状又はシート状の覆い部材と、
上方に拡がったテーパ筒状の側壁部と底側を閉塞する底部とを備え、前記内鉢が内側に重ねられる外鉢と、を有し、
前記内鉢の側壁部と前記外鉢の側壁部は、テーパ角度が等しいものであり、該内鉢が該外鉢に重ねられると、前記覆い部材の外面と、該外鉢の側壁部の内面とが接するものであり、
前記内鉢は、前記側壁部と前記底部の少なくとも一方に流入孔が形成され、前記外鉢に水を入れた状態で該内鉢を該外鉢に重ねると、該流入孔から該内鉢内に水が流入するものであることを特徴とするハイドロカルチャー用容器。
【請求項３】
前記内鉢は、前記流入孔を除いて、前記外鉢と同一形状のものであることを特徴とする請求項１又は２記載のハイドロカルチャー用容器。
【請求項４】
上方に拡がったテーパ筒状の側壁部と底側を閉塞する底部とを備え、前記内鉢が重ねられた前記外鉢が内側に重ねられる化粧鉢をさらに有し、
前記内鉢、前記外鉢及び前記化粧鉢は、透明又は半透明の素材で構成されたものであり、
前記化粧鉢は、側壁部の内側に、光を遮る遮光シートが配置されたものであることを特徴とする請求項１〜３のうちいずれか１項に記載のハイドロカルチャー用容器。
【請求項５】
前記内鉢が重ねられた前記外鉢、又は前記内鉢と前記外鉢が重ねられた前記化粧鉢が内側に挿入される筒状の転倒防止部材を備え、
前記転倒防止部材は、前記外鉢と同一形状のものを上下に分割し、その上側の部分を逆さに設置したものであることを特徴とする請求項１〜４のうちいずれか１項に記載のハイドロカルチャー用容器。
【考案の詳細な説明】
【技術分野】
【０００１】
本考案は、ハイドロボール等の人工培土を用いたハイドロカルチャーに好適なハイドロカルチャー用容器に関する。
【背景技術】
【０００２】
ハイドロボールやゼオライト、吸水ポリマー製等の人工培土を用いたハイドロカルチャーが行われている。ハイドロカルチャーは、土ではなく人工培土を用いる水耕栽培の一種であり、土による部屋の汚れや虫の付着が少なく衛生的であるため、室内における観葉植物の栽培等に採用されている。また、このようなハイドロカルチャーに適する容器も提案されている（特許文献１や特許文献２等参照）。なお、以下では、人工培土のうちハイドロボールを例に挙げて説明する。ハイドロボールは、粘土を高温で焼いて発泡させた無機質発泡体の粒状物であり、細孔を有しているため、この細孔から空気を供給することが可能なものである。
【０００３】
特許文献１に記載された容器は、外鉢と、この外鉢に収容される内鉢とを備えた二重構造のものである。外鉢は、垂直な側壁部と、この側壁部の底側を閉塞する底部とを備えたものである。また、外鉢は、アルミニウム等の金属又は不透明プラスチック材により構成されているが、側壁部には、窓部が孔開けされ、この窓部に内側から透明材が接着されている。内鉢は、側壁部の上縁部分に、内側に膨出した複数の凹部が形成され、上縁部分の下側には、上方に拡がったテーパ筒状の本体が形成され、この本体の下側に台座部が形成されている。また、内鉢は、側壁部の台座部に水抜きスリットが形成され、底部に水抜き孔が形成されている。使用に際しては、ハイドロボールに植物を植えた内鉢を、水を入れた外鉢内に収容すると、水抜きスリットや水抜き孔から内鉢内に水が流入して内鉢の本体と外鉢との間隙にも水が溜まり、内鉢内の水位と外鉢内の水位とが一致する。特許文献１に記載された容器は、側壁部に窓部が形成されているため、この窓部から水位を監視することができる。
【０００４】
特許文献２に記載された容器も、外鉢と、この外鉢に収容される内鉢とを備えた二重構造のものである。外鉢は、垂直な側壁部と、この側壁部の底側を閉塞する底部とを備え、側壁部の一部は透明なものである。外鉢は、垂直な側壁部と、この側壁部の底側を閉塞する底部とを備え、側壁部と底部には、水抜き孔が形成されている。外鉢の底部の内面には、内鉢を支持する支持突起が複数設けられ、外鉢の側壁部の内面における上側の部分には、内鉢と外鉢の間隙を一定に保持する間隙保持片が複数設けられている。使用に際しては、ハイドロボールに植物を植えた内鉢を、水を入れた外鉢内に収容すると、水抜き孔から内鉢内に水が流入して内鉢の本体と外鉢との間隙にも水が溜まり、内鉢内の水位と外鉢内の水位とが一致する。特許文献２に記載された容器は、外鉢の底部に支持突起を設け、内鉢の下端と外鉢の底部内面との間に給水警告水域が形成される。この給水警告水域に水位が位置した時に、水を補給することで、水の補給のタイミングが良好になるというものである。
【先行技術文献】
【特許文献】
【０００５】
【特許文献１】実開昭５８−５３５４５号公報
【特許文献２】実開昭６２−３９４６６号公報
【考案の概要】
【考案が解決しようとする課題】
【０００６】
特許文献１や特許文献２に記載された容器は、二重構造であるため使い勝手に優れ、給水のタイミングが分かりやすくなる点については工夫が施されているものの、供給された水を有効に活用するといった点が考慮されていない。
【０００７】
本考案は前記事情に鑑み、二重構造の利点は維持しつつ、供給された水を有効に活用する工夫がなされたハイドロカルチャー用容器を提供することを目的とする。
【課題を解決するための手段】
【０００８】
前記目的を解決する本考案の第１のハイドロカルチャー用容器は、上方に拡がったテーパ筒状の側壁部と底側を閉塞する底部とを備え、内部に人工培土が収容される内鉢と、
上方に拡がったテーパ筒状の側壁部と底側を閉塞する底部とを備え、前記内鉢が内側に重ねられる外鉢と、を有し、
前記内鉢の側壁部と前記外鉢の側壁部は、テーパ角度が等しいものであり、該内鉢が該外鉢に重ねられると、該内鉢の側壁部の外面と、該外鉢の側壁部の内面とが接するものであり、
前記内鉢は、前記側壁部と前記底部の少なくとも一方に流入孔が形成され、前記外鉢に水を入れた状態で該内鉢を該外鉢に重ねると、該流入孔から該内鉢内に水が流入するものであることを特徴とする。
【０００９】
本出願において、テーパ筒状の側壁部とは、円筒のテーパ状のものであってもよいし、三角形や四角形、或いは五角形以上の角筒のテーパ状のものであってもよい。
【００１０】
本考案の第１のハイドロカルチャー用容器によれば、前記内鉢が前記外鉢に重ねられると、該内鉢の側壁部の外面と、該外鉢の側壁部の内面とが接し、該内鉢と該外鉢との隙間がほとんど生じない。すなわち、前記内鉢の側壁部の外面と、前記外鉢の側壁部の内面とが、ほとんど隙間なく接する状態になる。このため、水を入れた前記内鉢に前記外鉢を重ねると、前記流入孔から該内鉢内に水が流入し、外鉢と内鉢との間に間隙が形成されている特許文献１や特許文献２に記載の容器と比べ、該内鉢内の水位をかせぐことができる。本考案も前記外鉢と前記内鉢との二重構造であるが、水位の点では１つの鉢と同等であり、供給した水を極めて有効に活用することができる。もっとも、構造的には二重であるため、前記外鉢から前記内鉢を取り出し、該外鉢に溜まった汚れた水等を捨てることもできる。また、水を溜めた大きなトレイに複数の内鉢を入れ、水を循環等させながら水位を一定に管理し、出荷前の養生を行うことも可能であり、二重構造の利点を備えたものである。
【００１１】
前記目的を解決する本考案の第２のハイドロカルチャー用容器は、上方に拡がったテーパ筒状の側壁部と底側を閉塞する底部とを備え、内部に人工培土が収容される内鉢と、
前記内鉢の側壁部を覆う、ネット状又はシート状の覆い部材と、
上方に拡がったテーパ筒状の側壁部と底側を閉塞する底部とを備え、前記内鉢が内側に重ねられる外鉢と、を有し、
前記内鉢の側壁部と前記外鉢の側壁部は、テーパ角度が等しいものであり、該内鉢が該外鉢に重ねられると、前記覆い部材の外面と、該外鉢の側壁部の内面とが接するものであり、
前記内鉢は、前記側壁部と前記底部の少なくとも一方に流入孔が形成され、前記外鉢に水を入れた状態で該内鉢を該外鉢に重ねると、該流入孔から該内鉢内に水が流入するものであることを特徴とする。
【００１２】
すなわち、本考案の第２のハイドロカルチャー用容器は、前記覆い部材を有し、前記内鉢が前記外鉢に重ねられると、該覆い部材の外面と、該外鉢の側壁部の内面とが接する点で、本考案の第１のハイドロカルチャー用容器と相違する。
【００１３】
本考案の第２のハイドロカルチャー用容器によれば、本考案の第１のハイドロカルチャー用容器の効果に加え、前記覆い部材によって、前記流入孔から前記人工培土がこぼれてしまうことを防ぐことができる。また、前記外鉢から前記内鉢を持ち上げ、前記覆い部材が濡れている様子で、該内鉢の水位を確認することもできる。さらに、前記覆い部材によって、緩衝作用も付与することができる。またさらに、前記覆い部材として、シート状の不織布を採用すれば、該覆い部材が水を吸い上げて前記流入孔から前記内鉢内に水を供給することも期待できる。
【００１４】
また、本考案のハイドロカルチャー用容器において、前記内鉢は、前記流入孔を除いて、前記外鉢と同一形状のものであることが好ましい。
【００１５】
こうすることで部材が共通化され製造コストを抑えることができるとともに、前記内鉢の側壁部の外面と前記外鉢の側壁部の内面、或いは前記覆い部材の外面と前記外鉢の側壁部の内面との隙間を、小さく制御することが容易になる。
【００１６】
さらに、本考案のハイドロカルチャー用容器において、上方に拡がったテーパ筒状の側壁部と底側を閉塞する底部とを備え、前記内鉢が重ねられた前記外鉢が内側に重ねられる化粧鉢をさらに有し、
前記内鉢、前記外鉢及び前記化粧鉢は、透明又は半透明の素材で構成されたものであり、
前記化粧鉢は、側壁部の内側に、光を遮る遮光シートが配置されたものであってもよい。
【００１７】
こうすることで、前記遮光シートにより光が遮られ、前記内鉢内や前記外鉢内への苔や藻の発生を抑えることできる。
【００１８】
ここで、前記遮光シートは、柄や模様（例えば家紋）、文字等が印刷された紙であってもよい。
【００１９】
またさらに、本考案のハイドロカルチャー用容器において、前記内鉢が重ねられた前記外鉢、又は前記内鉢と前記外鉢が重ねられた前記化粧鉢が内側に挿入される筒状の転倒防止部材を備え、
前記転倒防止部材は、前記外鉢と同一形状のものを上下に分割し、その上側の部分を逆さに設置したものである態様も好ましい態様の一つである。
【００２０】
こうすることで、前記外鉢と同じ素材を用いて、前記内鉢が重ねられた前記外鉢や、前記内鉢と前記外鉢が重ねられた前記化粧鉢を安定して設置することができる。なお、前記転倒防止部材は、前記外鉢と同一形状のものを上下に分割したものを、複数重ねて使用してもよい。
【考案の効果】
【００２１】
本考案のハイドロカルチャー用容器によれば、二重構造の利点は維持しつつ、供給された水を有効に活用する工夫がなされたハイドロカルチャー用容器を提供することができる。
【図面の簡単な説明】
【００２２】
【図１】本考案の第２のハイドロカルチャー用容器を示す図である。
【図２】図１に示す容器の構成部材を、分離して示す斜視図である。
【図３】側壁部にネットを被せた内鉢を、水を入れた外鉢に重ねる様子を説明するための断面図である。
【図４】ハイドロボールに榊を植え込んだ内鉢を養生させている様子を示す図である。
【図５】図１〜図３に示す、内鉢とネットの変形例を示す図である。
【図６】榊を植えた容器の使用例を示す図である。
【考案を実施するための形態】
【００２３】
以下、図面を参照して本考案の実施の形態を説明する。本考案の第１のハイドロカルチャー用容器と、本考案の第２のハイドロカルチャー用容器は、後述するネット（覆い部材）の有無の点で相違する。このため、以下では、ネットを有する第２のハイドロカルチャー用容器を主体に説明する。また、本実施形態では、人工培土としてハイドロボールを用い、榊Ｓａを栽培する態様（ハイドロカルチャー）を例に挙げて説明する。なお、前述したように、人工培土としては、ハイドロボールに限定されるものではなく、ゼオライトや吸水ポリマー製等の公知のものを用いることができる。また、栽培する植物も榊Ｓａに限定されず、例えば樒や茶の木などの陰樹であってもよいし、その他、水耕栽培が可能な植物を用いることができる。
【００２４】
図１は、本考案の第２のハイドロカルチャー用容器１を示す図である。なお、以下では、ハイドロカルチャー用容器１を、単に容器１と称して説明する。図２は、図１に示す容器１の構成部材を、分離して示す斜視図である。
【００２５】
図１及び図２に示すように、容器１は、内鉢２と、ネット３と、外鉢４と、化粧鉢５と、２つの転倒防止部材６と、を有している。内鉢２内にはハイドロボールＨｂが収容され、このハイドロボールＨｂに榊Ｓａが植えられている。なお、ハイドロボールＨｂは、大粒（約８〜１６ｍｍ）、中粒（約５〜８ｍｍ）、小粒（約２〜５ｍｍ）等に分けて市販されているが、本実施形態では、中粒又は小粒のものを用いている。なお、いずれのものであっても、砕けたりした細かなハイドロボール（かすなど）が含まれている。
【００２６】
また、本実施形態では、内鉢２、外鉢４、化粧鉢５、及び２つの転倒防止部材６を、透明なポリプロピレン製であって同一形状の、ビールやジュース等のカップ（使い捨てのカップ）を用いて構成している。なお、内鉢２等の素材は限定されるものではなく、陶器や硬質プラスチック製のものであってもよいが、ポリプロピレン製のものを採用すれば廃棄が容易になる。
【００２７】
具体的には、図２に示すように、内鉢２は、上方に拡がったテーパ筒状（テーパ円筒状）の側壁部２１と、底側を閉塞する底部２２とを備えたものである。本実施形態では、側壁部２１の上端にフランジ２１１が設けられ、下端部分には、径が小さくなり垂直な壁面の基部２１２が形成されている。また、側壁部２１には、例えば３〜６ｍｍ程度の、複数の流入孔２ａが互いに所定の間隔をあけて形成されている。複数の流入孔２ａを形成する位置は特に限定されるものではないが、これら流入孔２ａから内鉢２内に水が流入するため、少なくとも下端側部分に形成する必要がある。なお、本実施形態では、側壁部２１の基部２１２には流入孔２ａが形成されていないが、この基部２１２に流入孔２ａを形成してもよい。本実施形態の内鉢２は、前述したビールカップに対して、側壁部２１に複数の流入孔２ａを形成したものである。なお、底部２２は、中央部分が少し高くなって平面状に構成されている（図３参照）。
【００２８】
ネット３は、円筒状のものであり、内鉢２の側壁部２１を覆うものである。すなわち、ネット３は、覆い部材の一例に相当する。このネット３は、内鉢２に収容されたハイドロボールＨｂ、特に細かくなったハイドロボールＨｂが外にこぼれないようにするためのものである。このため、ネット３は、水を通過させると共に、細かくなったハイドロボールＨｂの流出を遮ることができるものであればよく、織物であっても編物であってもよいし、目の大きさ等は限定されるものではない。また、覆い部材として、ネット３に代えて、シート状の不織布を採用してもよい。なお、前述したように、本考案の第１のハイドロカルチャー用容器は、このネット３を備えていない。
【００２９】
前述したように、本実施形態では、内鉢２、外鉢４及び化粧鉢５は、同一形状のビールカップを用いている。このため、内鉢２と同じく、外鉢４は、側壁部４１と底部４２を有しており、側壁部４１は、内鉢２の側壁部２１と、テーパ角度が等しくなる。外鉢４は、ビールカップをそのまま用いており、水Ｗａが入れられる。また、化粧鉢５も、側壁部５１と底部５２を有しており、側壁部５１は、内鉢２の側壁部２１と、テーパ角度が等しくなる。すなわち、本実施形態では、内鉢２の側壁部２１、外鉢４の側壁部４１、及び化粧鉢５の側壁部５１は、テーパ角度が等しくなる。但し、外鉢４の側壁部４１と化粧鉢５の側壁部５１は、流入孔が形成されていない点で、内鉢２の側壁部２１と相違する。
【００３０】
化粧鉢５は、側壁部５１の内側に、光を遮る遮光シート７が配置されている。本実施形態では、遮光シート７は紙製のものであり、例えば家紋７ａが印刷されている。この遮光シート７は、内鉢２内や外鉢４内への光の侵入を遮り、苔や藻の発生を抑えるためのものである。なお、本実施形態では、遮光シート７は、家紋７ａが印刷された紙製のものであり、この遮光シート７が傷んだり汚れたりした場合は、家紋等を印刷した紙と容易に交換することができる。
【００３１】
また、本実施形態では、容器１の設置状態を安定させるため、転倒防止部材６を２つ設けている。この転倒防止部材６は、前述したビールカップを上下に分割（切断）し、その上側の部分を逆さに設置したものである。切断することで形成された開口６ａから、内鉢２と外鉢４が重ねられた化粧鉢５を内側に挿入すれば、図１に示すように、転倒防止部材６によって、容器１の設置状態が安定する。特に、本実施形態では、転倒防止部材６を２つ重ねて使用しているので、容器１の設置状態をより安定させることができる。
【００３２】
なお、転倒防止部材６を形成する際に、ビールカップを分割する箇所は、上下方向における中間部分が好ましい。こうすることで、転倒防止部材６の開口６ａに、化粧鉢５の側壁部５１が嵌まり込んだ状態で、化粧鉢５の下端が設置面に載置される状態となる。また、図１の一点鎖線で示すように、転倒防止部材６の開口６ａから、上下方向にスリット６２を形成してもよい。こうすることで、転倒防止部材６の開口６ａへの化粧鉢５の嵌まり込みが安定する。
【００３３】
これまで説明した部材は、図２に示すように、まずは、ハイドロボールＨｂを内鉢２に所定量入れ、このハイドロボールＨｂに榊Ｓａを植える。次いで、内鉢２の側壁部２１にネット３を被せ、水Ｗａを所定量入れた外鉢４に重ねる。ここで、水Ｗａの量は、植物の種類や給水の頻度等を考慮して調整すればよく、例えば、１日１０ｃｃ〜１５ｃｃ消費するとして、１週間から２週間に一度水Ｗａを補給する場合には、２００ｃｃ程度となる。なお、外鉢４の側壁部４１に、所定量の水における水位の目安となる位置に印を付してもよい。
【００３４】
そして、これら内鉢２及び外鉢４を、側壁部５１の内側に遮光シート７が配置された化粧鉢５に重ねる。次いで、重ねられた、内鉢２、外鉢４及び化粧鉢５を、２つ重ねられた転倒防止部材６の開口６ａ内に挿入すれば、図１に示す設置状態となる。
【００３５】
図３は、側壁部２１にネット３を被せた内鉢２を、水Ｗａを入れた外鉢４に重ねる様子を説明するための断面図である。
【００３６】
図３（ａ）に示す、水Ｗａを入れた外鉢４に内鉢２を重ねると、同図（ｂ）に示すように、ネット３の外面と、外鉢４の側壁部４１の内面とが接し、内鉢２の側壁部２１と外鉢４の側壁部４１との隙間がほとんど生じない状態となる。このため、水Ｗａの水位が上昇しながら流入孔２ａから内鉢２内に水Ｗａが流入し、外鉢と内鉢との間に間隙が形成されている特許文献１や特許文献２に記載の容器と比べ、内鉢２内の水位をかせぐことができる。すなわち、容器１も外鉢４と内鉢２との二重構造であるが、水位の点では１つの鉢と同等であり、供給した水Ｗａを有効に活用することができる。本実施形態では、内鉢２と外鉢４を、同一形状のビールカップを用いて構成しているため、内鉢２の側壁部２１と外鉢４の側壁部４１は、テーパ角度が等しくなる。これにより、内鉢２の側壁部２１と外鉢４の側壁部４１との隙間を小さくする制御が非常に容易となる。
【００３７】
また、ネット３として不織布を用いれば、このネット３が水Ｗａを吸い上げて流入孔２ａから内鉢２内に水Ｗａを供給する効果も期待できる。
【００３８】
図示は省略するが、本考案の第１のハイドロカルチャー用容器は、図３に示す容器１（本考案の第２のハイドロカルチャー用容器）と比べて、ネット３を有しないものである。このため、内鉢２を外鉢４に重ねると、内鉢２の側壁部２１の外面と、外鉢４の側壁部４１の内面とが接し、内鉢２の側壁部２１と外鉢４の側壁部４１との隙間がより小さくなる。従って、本考案の第１のハイドロカルチャー用容器は、流入孔２ａからのハイドロボールＨｂ等の流出を防ぐことはできないが、内鉢２内の水位をかせぐことができる点では、より優れたものとなる。
【００３９】
また、図２に示すように、本実施形態では、化粧鉢５１の内側に配置した遮光シート７における周方向の一部に、上下方向に延在する隙間Ｓが生じる態様を採用している。これにより、化粧鉢５１に遮光シート７を配置しても、内鉢２内の水Ｗａの水位を化粧鉢５１の外側から確認することができる。なお、この隙間Ｓが生じないように遮光シート７を化粧鉢５１に配置してもよく、この場合には、内鉢２の底部２２と、外鉢４の底部４２との間を視認できる態様とすれば、水位がこの部分に位置したときに、内鉢２内に水Ｗａがなくなり水Ｗａを補給するタイミングである、といった目安とすることも可能である。なお、水Ｗａを供給するには、内鉢２内に上から水Ｗａを注げばよい。
【００４０】
図４は、内鉢２内のハイドロボールＨｂに榊Ｓａを植え込んだ後、養生させている様子を示す図である。
【００４１】
前述したように、図１〜図３に示す容器１は、水位の点では１つの鉢と同等であるが、構造的には二重である。このため、外鉢４から内鉢２を取り出し、外鉢４に溜まった汚れた水等を捨てることもできる。また、図４に示すように、ハイドロボールＨｂに榊Ｓａを植え込んだ内鉢２を、水Ｗａを入れたトレイ８に複数配置して管理することもできる。例えば、榊Ｓａを植え込んだ後、出荷する前に、例えば２〜３週間程度の養生期間をおく必要があるが、複数の容器１に対して個別に水Ｗａの管理をすることは非常に煩雑となる。これに対し、図４に示すように、水Ｗａを入れたトレイ８に内鉢２を複数入れ、水Ｗａの水位を一定に保ち循環させる等して養生すれば、管理が非常に容易になる。
【００４２】
図５は、図１〜図３に示す、内鉢２とネット３の変形例を示す図である。
【００４３】
図５に示すように、本変形例の内鉢２’は、底部２２にも流入孔２ａが形成され、本変形例のネット３’は、内鉢２’の底部２２も覆うように、袋状に構成されている。なお、底部２２に流入孔２ａを形成した場合は、側壁部２１の流入孔２ａを省略する態様を採用することもできる。
【００４４】
図６は、榊Ｓａを植えた容器１の使用例を示す図である。
【００４５】
前述したように、容器１は、水位の点では１つの鉢と同等であり、供給した水を有効に活用することができる。このため、一般的に高い場所にあって、水の供給がしにくい、或いは、水の供給を忘れてしまいがちな、図６に示すような神棚Ｋｂに備える場合に好適である。また、一般的に神棚Ｋｂに備える榊は切り枝のため枯れやすいが、容器１を用いたハイドロカルチャーであれば、長寿命となる。さらに、容器１は、水位の点では１つの鉢と同等であるため、その分、容器１の高さ寸法を抑えることができる。このため、高さが制限されやすい、神棚Ｋｂに、特に好適に用いることができる。
【００４６】
以上説明した容器１によれば、二重構造の利点は維持しつつ、供給された水を有効に活用する工夫がなされたハイドロカルチャー用容器を提供することができる。
【００４７】
本考案は前述した実施形態に限られることなく実用新案登録請求の範囲に記載した範囲で種々の変更を行うことができる。例えば、前述した実施形態では、内鉢２、外鉢４、化粧鉢５及び転倒防止部材６を、同一形状のビールカップを用いて構成しているが、これは一例であり、もちろん、それぞれ別個に製造してもよい。また、内鉢２、外鉢４、化粧鉢５及び転倒防止部材６は、必ずしも透明又は半透明である必要はなく、例えば、外鉢４を、着色や、家紋の模様等を付す態様を採用すれば、化粧鉢５は不要となる。さらに、化粧鉢５の底部５２に、設置状態を安定させる構成を付与することで、転倒防止部材６を省略してもよい。またさらに、化粧鉢５を、杉や檜等の木製とする態様としてもよく、この木製の化粧鉢の底部に転倒防止機能を付与して、転倒防止部材６を省略してもよい。
【符号の説明】
【００４８】
１  第２のハイドロカルチャー用容器（容器）
２，２’  内鉢
２１  側壁部
２２  底部
２ａ  流入孔
３，３’  ネット
４  外鉢
４１  側壁部
４２  底部
５  化粧鉢
５１  側壁部
５２  底部
６  転倒防止部材
６ａ  開口
７  遮光シート
７ａ  家紋
８  トレイ
【図１】
0003228457.tif 000003
【図２】
0003228457.tif 000004
【図３】
0003228457.tif 000005
【図４】
0003228457.tif 000006
【図５】
0003228457.tif 000007
【図６】
0003228457.tif 000008